(57)【要約】      （修正有）【課題】窓付き封筒における窓部の装飾性を高め、窓付き封筒をより楽しく使用できるようにした窓付き封筒を提供する。【解決手段】窓部４を形成する透明シートを備えた窓付き封筒において、透明シートに装飾模様６を印刷して窓付き封筒を形成する。さらに、透明シートによる窓部４を備える窓付き封筒１と、窓付き封筒１に収納される便箋において、窓部４が実際の窓形態に形成されるとともに、便箋に窓付き封筒１に収納された際に窓部４で露呈する景色模様１５が付されてなることを特徴として封筒セットとしても良い。【選択図】図４
0003174110.tif 000002
【実用新案登録請求の範囲】
【請求項１】
透明シートによる窓部を備える窓付き封筒において、
前記透明シートに装飾模様が印刷形成されてなることを特徴とする窓付き封筒。
【請求項２】
前記窓部が実際の窓形態である請求項１記載の窓付き封筒。
【請求項３】
透明シートによる窓部を備える窓付き封筒と、前記窓付き封筒に収納される便箋とからなり、前記窓部が実際の窓形態に形成されるとともに、前記便箋に前記窓付き封筒に収納された際に前記窓部で露呈する景色模様が付されてなることを特徴とする封筒セット。
【請求項４】
前記透明シートに装飾模様が印刷形成されてなることを特徴とする請求項３記載の封筒セット。
【考案の詳細な説明】
【技術分野】
【０００１】  この考案は、窓付き封筒及び封筒セットに関する。
【背景技術】
【０００２】  透明シートが貼られた窓部を備える窓付き封筒が提供されており、この窓付き封筒は通常その窓部において内部に納められる便箋に付された宛先等を露呈するように用いられている。
【考案の概要】
【考案が解決しようとする課題】
【０００３】  この考案では、窓付き封筒における窓部の装飾性を高め、窓付き封筒を楽しく使用できるようにすることを目的とする。
【課題を解決するための手段】
【０００４】  この考案では、透明シートによる窓部を備える窓付き封筒において、前記透明シートに装飾模様が印刷形成されてなることを特徴とする窓付き封筒を提供する。【０００５】  上記構成の窓付き封筒は、窓部の透明シートに装飾模様が印刷されているので装飾性に優れるものとなる。窓部が実際の窓形態とされることでよりリアルで装飾性に優れるものとなる。【０００６】  さらに、この考案では、透明シートによる窓部を備える窓付き封筒と、前記窓付き封筒に収納される便箋とからなり、前記窓部が実際の窓形態に形成されるとともに、前記便箋に前記窓付き封筒に収納された際に前記窓部で露呈する景色模様が付されてなることを特徴とする封筒セットを提供する。【０００７】  上記構成の封筒セットは、収納された便箋の景色模様が窓付き封筒の実際の窓形態に形成された窓部に露呈するので、窓を通してその向こうの景色が見える感が得られてリアルで装飾性の高いものとなる。透明シートに装飾模様が印刷形成されてなることでさらに装飾性が高められる。
【考案の効果】
【０００８】  この考案によれば、窓部の装飾性が高められることで窓付き封筒がより楽しく使用されるようになる。さらに、この考案によれば、窓付き封筒の実際の窓形態に形成された窓部を通して便箋の景色模様が見える楽しく装飾性に優れる封筒セットが得られる。
【図面の簡単な説明】
【０００９】
【図１】  この考案の窓付き封筒の実施形態の前面図
【図２】  この考案の窓付き封筒の実施形態の背面図
【図３】  この考案の封筒セットで用いる便箋の前面図
【図４】  この考案の窓付き封筒に便箋を収納した状態の前面図
【考案を実施するための形態】
【００１０】  図１、図２はこの考案の窓付き封筒の実施形態の前面図と背面図である。窓付き封筒１はその前面２に透明シート３が貼られた窓部４を備えている。前面２には全体に街角の景色模様が描かれ、その中の店舗家屋の窓位置に窓部４が設けられている。
【００１１】  窓部４の透明シート３表面にはカーテン及び窓桟の装飾模様６が印刷形成され、これにより窓部４は実際の窓形態に近いものとされている。なお、図１において、透明シート３上の白色の装飾模様６が見えやすくするために窓部４内を若干濃色としているが、実際にはそこは窓付き封筒１の内面が露呈していることで白色となる。窓付き封筒１の背面８には、宛先及び送付者の住所記入欄１０のそれぞれが設けられている。
【００１２】  図３は上記窓付き封筒１において用いられる便箋１２の前面図であり、上半部にコメントの記載欄１４が設けられ、下半部に店舗家屋内景色である景色模様１５が描かれている。便箋１２は中間高さ位置で折り曲げられその下半部の景色模様１５が窓部４に相対するように窓付き封筒１内に納められる。窓付き封筒１と便箋１２とによりこの考案の封筒セットが構成される。
【００１３】  窓付き封筒１は上記のように便箋１２が納められた状態においては、図４に示すように、窓部４に景色模様１５の一部が露呈する状態となり、すなわち、外部から店舗家屋の窓を通してその内部景色が見える状態となる。さらに、窓部４のカーテン及び窓桟の装飾模様６が形成された透明シート３を通して内部景色が見えることでその部分がよりリアルなものとなり、これにより窓付き封筒１の前面２は非常に装飾性に優れたものとなって楽しく使用される。
【符号の説明】
【００１４】１      窓付き封筒
２      前面
３      透明シート
４      窓部
６      装飾模様
１２    便箋
１５    景色模様
【図１】
0003174110.tif 000003
【図２】
0003174110.tif 000004
【図３】
0003174110.tif 000005
【図４】
0003174110.tif 000006
【手続補正書】
【提出日】平成23年12月2日(2011.12.2)
【手続補正１】
【補正対象書類名】明細書
【補正対象項目名】全文
【補正方法】変更
【補正の内容】
【考案の詳細な説明】
【技術分野】
【０００１】  この考案は、窓付き封筒に関する。
【背景技術】
【０００２】  透明シートが貼られた窓部を備える窓付き封筒が提供されており、この窓付き封筒は通常その窓部において内部に納められる便箋に付された宛先等を露呈するように用いられている。
【考案の概要】
【考案が解決しようとする課題】
【０００３】  この考案では、窓付き封筒における窓部の装飾性を高め、窓付き封筒を楽しく使用できるようにすることを目的とする。
【課題を解決するための手段】
【０００４】  この考案では、透明シートによる窓部を備える窓付き封筒において、前記透明シートに装飾模様が印刷形成されてなることを特徴とする窓付き封筒を提供する。【０００５】  上記構成の窓付き封筒は、窓部の透明シートに装飾模様が印刷されているので装飾性に優れるものとなる。窓部が実際の窓形態とされることでよりリアルで装飾性に優れるものとなる。
【考案の効果】
【０００６】  この考案によれば、窓部の装飾性が高められることで窓付き封筒がより楽しく使用されるようになる。
【図面の簡単な説明】
【０００７】
【図１】  この考案の窓付き封筒の実施形態の前面図
【図２】  この考案の窓付き封筒の実施形態の背面図
【図３】  この考案で用いる便箋の前面図
【図４】  この考案の窓付き封筒に便箋を収納した状態の前面図
【考案を実施するための形態】
【０００８】  図１、図２はこの考案の窓付き封筒の実施形態の前面図と背面図である。窓付き封筒１はその前面２に透明シート３が貼られた窓部４を備えている。前面２には全体に街角の景色模様が描かれ、その中の店舗家屋の窓位置に窓部４が設けられている。
【０００９】  窓部４の透明シート３表面にはカーテン及び窓桟の装飾模様６が印刷形成され、これにより窓部４は実際の窓形態に近いものとされている。なお、図１において、透明シート３上の白色の装飾模様６が見えやすくするために窓部４内を若干濃色としているが、実際にはそこは窓付き封筒１の内面が露呈していることで白色となる。窓付き封筒１の背面８には、宛先及び送付者の住所記入欄１０のそれぞれが設けられている。
【００１０】  図３は上記窓付き封筒１において用いられる便箋１２の前面図であり、上半部にコメントの記載欄１４が設けられ、下半部に店舗家屋内景色である景色模様１５が描かれている。便箋１２は中間高さ位置で折り曲げられその下半部の景色模様１５が窓部４に相対するように窓付き封筒１内に納められる
【００１１】  窓付き封筒１は上記のように便箋１２が納められた状態においては、図４に示すように、窓部４に景色模様１５の一部が露呈する状態となり、すなわち、外部から店舗家屋の窓を通してその内部景色が見える状態となる。さらに、窓部４のカーテン及び窓桟の装飾模様６が形成された透明シート３を通して内部景色が見えることでその部分がよりリアルなものとなり、これにより窓付き封筒１の前面２は非常に装飾性に優れたものとなって楽しく使用される。
【符号の説明】
【００１２】１      窓付き封筒
２      前面
３      透明シート
４      窓部
６      装飾模様
１２    便箋
１５    景色模様
【手続補正２】
【補正対象書類名】実用新案登録請求の範囲
【補正対象項目名】全文
【補正方法】変更
【補正の内容】
【実用新案登録請求の範囲】
【請求項１】
透明シートによる窓部を備える窓付き封筒において、前記透明シートに装飾模様が印刷形成されてなることを特徴とする窓付き封筒。
【請求項２】
前記窓部が実際の窓形態である請求項１記載の窓付き封筒。